(57)【要約】【課題】洗浄液中に存在する菌の殺菌効果が高く、泡立ち性が維持され、濯ぎ性に優れた繊維製品用粉末洗浄剤組成物を提供する。【解決手段】下記（Ａ）成分を１０質量％以上４０質量％以下、下記（Ｂ）成分を０．５質量％以上５質量％以下、下記（Ｃ）成分及び下記（Ｄ）成分を含有し、（ａ２）／〔（ａ１）＋（ａ２）〕の質量比が０以上０．１５以下であり、（ａ３）／〔（ａ１）＋（ａ３）〕の質量比が０以上０．１５以下であり、（ｂ２）／（ｂ１）の質量比が０以上１．５以下である、繊維製品用粉末洗浄剤組成物。（Ａ）成分：（ａ１）スルホン酸基又はその塩を有するアニオン界面活性剤、並びに任意の（ａ２）ポリオキシアルキレン基を有するノニオン界面活性剤及び任意の（ａ３）アルキル硫酸エステル塩（Ｂ）成分：炭素数の異なる（ｂ１）、（ｂ２）の２種の所定のカチオン界面活性剤（Ｃ）成分：無機炭酸塩及び無機炭酸水素塩から選ばれる１種以上のアルカリ剤（Ｄ）成分：カルボン酸基又はその塩を有し、重量平均分子量が３０００以上のポリマー【選択図】なし【特許請求の範囲】
【請求項１】
下記（Ａ）成分を１０質量％以上４０質量％以下、下記（Ｂ）成分を０．５質量％以上５質量％以下、下記（Ｃ）成分及び下記（Ｄ）成分を含有し、
（ａ２）成分の含有量と、（ａ１）成分と（ａ２）成分の合計の含有量との質量比である（ａ２）成分／〔（ａ１）成分＋（ａ２）成分〕が０以上０．１５以下であり、
（ａ３）成分の含有量と、（ａ１）成分と（ａ３）成分の合計の含有量との質量比である（ａ３）成分／〔（ａ１）成分＋（ａ３）成分〕が０以上０．１５以下であり、
（ｂ２）成分の含有量と（ｂ１）成分の含有量との質量比である、（ｂ２）成分／（ｂ１）成分が０以上１．５以下である、
繊維製品用粉末洗浄剤組成物。
（Ａ）成分：下記（ａ１）成分、並びに任意の下記（ａ２）成分及び任意の下記（ａ３）
（ａ１）成分：スルホン酸基又はその塩を有するアニオン界面活性剤
（ａ２）成分：ポリオキシアルキレン基を有するノニオン界面活性剤
（ａ３）成分：アルキル硫酸エステル塩
（Ｂ）成分：下記（ｂ１）成分、及び任意の下記（ｂ２）成分
（ｂ１）成分：下記一般式（１）においてＲ１の炭素数とＲ２の炭素数の合計の数が１５以上２３以下であるカチオン界面活性剤
（ｂ２）成分：下記一般式（１）において、Ｒ１の炭素数が８以上１３以下であり、Ｒ２の炭素数が１以上３以下の炭化水素基であり、Ｒ１の炭素数とＲ２の炭素数の合計の数が９以上１４以下であるカチオン界面活性剤
【化１】
2018104706.tif 000009
〔式中、Ｒ１は、炭素数８以上１６以下の脂肪族炭化水素基であり、Ｒ２は、炭素数１以上１０以下の炭化水素基であり、Ｒ３及びＲ４は、それぞれ独立に、炭素数１以上３以下の炭化水素基及び炭素数１以上３以下のヒドロキシアルキル基から選ばれる基であり、Ｘ−は陰イオンである。〕
（Ｃ）成分：無機炭酸塩及び無機炭酸水素塩から選ばれる１種以上のアルカリ剤
（Ｄ）成分：カルボン酸基又はその塩を有し、重量平均分子量が３０００以上のポリマー
【請求項２】
（Ｅ）成分として、ゼオライト、トリポリリン酸塩及びアルカリ金属ケイ酸塩から選ばれる１種以上の金属イオン捕捉剤を５質量％以上３０質量％以下含有する、請求項１に記載の繊維製品用粉末洗浄剤組成物。
【請求項３】
（ａ３）成分の含有量と（Ｂ）成分の含有量との質量比である、（ａ３）成分／（Ｂ）成分が、０以上５．０以下である、請求項１又は２に記載の繊維製品用粉末洗浄剤組成物。
【請求項４】
前記一般式（１）において、Ｒ３及びＲ４が、それぞれ独立に、炭素数１以上３以下の炭化水素基である、請求項１〜３のいずれかに記載の繊維製品用粉末洗浄剤組成物。
【請求項５】
（Ｄ）成分が、重量平均分子量が３０００以上１０００００以下のポリアクリル酸又はその塩及び重量平均分子量が３０００以上１０００００以下のアクリル酸／マレイン酸コポリマー又はその塩から選ばれる１種以上のポリマーである、請求項１〜４の何れかに記載の繊維製品用粉末洗浄剤組成物。
【請求項６】
（Ｃ）成分の含有量が１０質量％以上６０質量％以下である、請求項１〜５の何れかに記載の繊維製品用粉末洗浄剤組成物。
【請求項７】
手洗い洗浄用である請求項１〜６の何れか１項記載の繊維製品用粉末洗浄剤組成物。
【請求項８】
請求項１〜７の何れか１項記載の繊維製品用粉末洗浄剤組成物と、ドイツ硬度が１°ｄＨ以上５０°ｄＨ以下の水とを混合した洗浄液で、繊維製品を洗浄する、繊維製品の洗浄方法。
【請求項９】
前記洗浄液と繊維製品とを最初に接触させた後、１０分以上６０分以下経過後に、繊維製品を洗浄する、請求項８に記載の繊維製品の洗浄方法。
【発明の詳細な説明】
【技術分野】
【０００１】
本発明は、繊維製品用粉末洗浄剤組成物及び繊維製品の洗浄方法に関する。
【背景技術】
【０００２】
衣料等の繊維製品用の粉末洗浄剤組成物において、洗浄成分として、アニオン界面活性剤やノニオン界面活性剤が用いられている。アニオン界面活性剤としては、アルキルベンゼンスルホン酸塩に代表される、スルホン酸基又はその塩を有するアニオン界面活性剤、アルキル硫酸エステル塩及びポリオキシアルキレンアルキル硫酸エステル塩に代表される、硫酸エステル塩を有するアニオン界面活性剤が知られている。衣料用洗剤の提供者は、衣料に付着した種々の汚れに対する洗浄力の観点で、複数の陰イオン界面活性剤を併用している。
一方で、生活者の衛生意識の高まりに伴い、衣料のにおいや菌に対する関心も高まってきている。衣料には皮膚常在菌や環境中に存在する様々な菌が付着し繁殖していることが知られている。衣料に付着している菌の増殖を抑制する手段として、第４級アンモニウム界面活性剤を使用することが知られている。
【０００３】
特許文献１には、アルキルベンゼンスルホン酸塩とアルキル硫酸塩を含有し、皮脂汚れや泥汚れの洗浄性に優れた衣料用粉末洗浄剤組成物が開示されている。
特許文献２には、特定のアミン化合物、スルホン酸塩、特定の非イオン界面活性剤及び水溶性無機塩、任意成分としてカチオン界面活性剤と表面被覆剤としてのポリマーを含有し、洗浄力、保存による耐変色性、被洗浄物の変褪色防止性に優れる粒状洗浄剤組成物が開示されている。
特許文献３には、界面活性剤。可溶性洗浄力ビルダー、脂肪酸セッケン、第四級アンモニウム塩及びシリコーン液体抑泡剤を含有し、濯ぎ性に優れた粒状洗剤組成物が記載されている。
【先行技術文献】
【特許文献】
【０００４】
【特許文献１】特開２０１４−１４１６４１号公報
【特許文献２】特開２００４−１０６８１号公報
【特許文献３】特開昭６２−２３０９００号公報
【発明の概要】
【発明が解決しようとする課題】
【０００５】
本発明は、洗浄液中に存在する菌の殺菌効果が高く、泡立ち性が維持され、濯ぎ性に優れた繊維製品用粉末洗浄剤組成物を提供する。
【課題を解決するための手段】
【０００６】
本発明は、下記（Ａ）成分を１０質量％以上４０質量％以下、下記（Ｂ）成分を０．５質量％以上５質量％以下、下記（Ｃ）成分及び下記（Ｄ）成分を含有し、
（ａ２）成分の含有量と、（ａ１）成分と（ａ２）成分の合計の含有量との質量比である（ａ２）成分／〔（ａ１）成分＋（ａ２）成分〕が０以上０．１５以下であり、
（ａ３）成分の含有量と、（ａ１）成分と（ａ３）成分の合計の含有量との質量比である（ａ３）成分／〔（ａ１）成分＋（ａ３）成分〕が０以上０．１５以下であり、
（ｂ２）成分の含有量と（ｂ１）成分の含有量との質量比である、（ｂ２）成分／（ｂ１）成分が０以上１．５以下である、
繊維製品用粉末洗浄剤組成物に関する。
（Ａ）成分：下記（ａ１）成分、並びに任意の下記（ａ２）成分及び任意の下記（ａ３）
（ａ１）成分：スルホン酸基又はその塩を有するアニオン界面活性剤
（ａ２）成分：ポリオキシアルキレン基を有するノニオン界面活性剤
（ａ３）成分：アルキル硫酸エステル塩
（Ｂ）成分：下記（ｂ１）成分、及び任意の下記（ｂ２）成分
（ｂ１）成分：下記一般式（１）において、Ｒ１の炭素数とＲ２の炭素数の合計の数が１５以上２３以下であるカチオン界面活性剤
（ｂ２）成分：下記一般式（１）において、Ｒ１の炭素数が８以上１３以下であり、Ｒ２の炭素数が１以上３以下の炭化水素基であり、Ｒ１の炭素数とＲ２の炭素数の合計の数が９以上１４以下であるカチオン界面活性剤
【０００７】
【化１】
2018104706.tif 000002
【０００８】
〔式中、Ｒ１は、炭素数８以上１６以下の脂肪族炭化水素基であり、Ｒ２は、炭素数１以上１０以下の炭化水素基であり、Ｒ３及びＲ４は、それぞれ独立に、炭素数１以上３以下の炭化水素基及び炭素数１以上３以下のヒドロキシアルキル基から選ばれる基であり、Ｘ−は陰イオンである。〕
（Ｃ）成分：無機炭酸塩及び無機炭酸水素塩から選ばれる１種以上のアルカリ剤
（Ｄ）成分：カルボン酸基又はその塩を有し、重量平均分子量が３０００以上のポリマー
【０００９】
また、本発明は、上記本発明の繊維製品用粉末洗浄剤組成物と、ドイツ硬度が１°ｄＨ以上５０°ｄＨ以下の水とを混合した洗浄液で、繊維製品を洗浄する、繊維製品の洗浄方法に関する。
【発明の効果】
【００１０】
本発明によれば、洗浄液中に存在する菌の殺菌効果が高く、泡立ち性を維持しつつ、濯ぎ性に優れた繊維製品用粉末洗浄剤組成物を得ることができる。本発明において、「濯ぎ性に優れた」又は「濯ぎ性を向上する」という用語を用いる場合があるが、これは、濯ぎ時の泡がより少ないことを意味する。
【発明を実施するための形態】
【００１１】
［繊維製品用粉末洗浄剤組成物］
本発明者らは、アニオン界面活性剤とカチオン界面活性剤とを含有する洗浄剤組成物に関して、アニオン界面活性剤において、特にアルキル硫酸エステル塩の含有量を制限することで、カチオン界面活性剤の殺菌効果をより向上することができることを見出した。また、洗浄剤組成物中のポリオキシエチレン基を有するノニオン界面活性剤の含有量を制限することで、洗浄時には泡立ち性に優れ、濯ぎ時には泡が消えやすくなることを見出した。更には、一般的に殺菌効果を有するカチオン界面活性剤の炭素数を制御することで、更に泡切れ性が向上することを見出した。
【００１２】
＜（Ａ）成分＞
（Ａ）成分は、下記（ａ１）成分、並びに任意の下記（ａ２）成分及び任意の下記（ａ３）である。（Ａ）成分は、下記（ａ１）成分を含み、下記（ａ２）成分及び下記（ａ３）成分から選ばれる成分を任意に含む。
（ａ１）成分：スルホン酸基又はその塩を有するアニオン界面活性剤
（ａ２）成分：ポリオキシアルキレン基を有するノニオン界面活性剤
（ａ３）成分：アルキル硫酸エステル塩
【００１３】
本発明の（Ａ）成分は、洗浄液中の殺菌作用、洗浄時の泡立ち又は濯ぎ時の泡切れ性の向上の点で組成が制限される。すなわち、組成物中の（ａ２）成分の含有量と、（ａ１）成分と（ａ２）成分の合計の含有量との質量比である（ａ２）成分／〔（ａ１）成分＋（ａ２）成分〕は０以上０．１５以下であり、組成物中の（ａ３）成分の含有量と、（ａ１）成分と（ａ３）成分の合計の含有量との質量比である（ａ３）成分／〔（ａ１）成分＋（ａ３）成分〕は０以上０．１５以下である。
【００１４】
〔（ａ１）成分〕
（ａ１）成分は、スルホン酸基又はその塩を有するアニオン界面活性剤であり、洗浄時の泡立ち性に優れ、また繊維製品に付着した汚れの洗浄作用を有する。
（ａ１）成分としては、アルキルベンゼンスルホン酸又はその塩、アルキルスルホン酸又はその塩、アルケニルスルホン酸又はその塩、アルケニルスルホ脂肪酸エステル又はその塩が挙げられる。
（ａ１）成分の具体例としては、炭素数８以上２０以下のアルキル基を有するアルキルベンゼンスルホン酸又はその塩、炭素数８以上２０以下のアルキル基を有するアルキルスルホン酸又はその塩、炭素数８以上２０以下のアルケニル基を有するアルケニルスルホン酸又はその塩、及び炭素数８以上２０以下のアルケニル基を有するアルケニルスルホ脂肪酸エステル又はその塩から選ばれる１種以上のアニオン界面活性剤が挙げられる。
【００１５】
炭素数８以上２０以下のアルキル基を有するアルキルベンゼンスルホン酸又はその塩としては、特に限定されるものではないが、炭素数８以上、好ましくは１０以上、より好ましくは１２以上、そして、２０以下、好ましくは１６以下のアルキル基、好ましくは直鎖アルキル基を有するアルキルベンゼンスルホン酸塩が挙げられる。
炭素数８以上２０以下のアルキル基を有するアルキルベンゼンスルホン酸塩の塩を形成する対イオンは、ナトリウム、カリウムなどのアルカリ金属塩、炭素数２以上８以下のアルカノールアミン塩などを挙げることができる。
【００１６】
（ａ１）成分は、カチオン界面活性剤による殺菌効果をより高める観点から、好ましくはアルキルベンゼンスルホン酸又はその塩を含み、（ａ１）成分中、アルキルベンゼンスルホン酸又はその塩の割合が、好ましくは５０質量％以上、より好ましくは５５質量％以上、更に好ましくは６５質量％以上、より更に好ましくは７５質量％以上、更に好ましくは８５質量％以上、より更に好ましくは９６質量％以上、そして、１００質量％以下である。このアルキルベンゼンスルホン酸又はその塩は、炭素数８以上２０以下のアルキル基を有するアルキルベンゼンスルホン酸又はその塩が好ましい。
【００１７】
〔（ａ２）成分〕
（ａ２）成分は、ポリオキシアルキレン基を有するノニオン界面活性剤である。（ａ２）成分は、任意成分である。（ａ２）成分は、一般的には、繊維製品に付着した汚れの洗浄する作用を有するが、アニオン界面活性剤に比べて洗浄時の泡立ち性が劣り、又は本発明の繊維製品用粉末洗浄剤組成物において濯ぎ時の泡切れ性が劣る場合があることから、本発明では使用量が制限される。
【００１８】
（ａ２）成分としては、平均付加モル数が３モル以上５０モルのポリオキシアルキレン基を有するノニオン界面活性剤が好ましい。
（ａ２）成分としては、下記一般式（３）で表されるノニオン界面活性剤がより好ましい。
Ｒ１ａ−（ＣＯ）ｘＯ−（ＡＯ）ｍ−Ｒ２ａ      （３）
〔式中、Ｒ１ａは炭素数８以上１８以下の脂肪族炭化水素基であり、ＡＯは、炭素数２のアルキレンオキシ基及び炭素数３のアルキレンオキシ基から選ばれるアルキレンオキシ基であり、ｘは０又は１の数であり、ｍは、ＡＯの平均付加モル数であり、３以上５０以下の数であり、Ｒ２ａは、水素原子又はメチル基である。〕
【００１９】
一般式（３）中のＲ１ａの炭素数は、洗浄性をより向上出来る点で、１０以上が好ましく、１２以上がより好ましく、そして、１６以下が好ましい。
また、一般式（３）中のＲ１ａの炭素数は、本発明の繊維製品用粉末洗浄剤組成物の洗浄時の泡立ちを阻害しにくい点で、１０以上が好ましく、そして、１６以下が好ましく、１４以下がより好ましい。
また、一般式（３）中のＲ１ａの脂肪族炭化水素基としては、アルキル基及びアルケニル基から選ばれる脂肪族炭化水素基が挙げられ、アルキル基が好ましい。
一般式（３）中のｘは、０又は１の数であり、洗浄性の点で０の数が好ましい。
一般式（３）中のｍは、ＡＯの平均付加モル数であり、繊維製品用粉末洗浄剤組成物の汚れの洗浄性をより向上できる点で、４以上が好ましく、５以上がより好ましく、６以上が更に好ましく、７以上が更に好ましく、そして、４５以下が好ましく、４０以下がより好ましく、３５以下が更に好ましく、３０以下が更に好ましく、２５以下が更に好ましく、２０以下が更に好ましく、１８以下が更に好ましく、１６以下が更に好ましく、１４以下が更に好ましく、１２以下が更に好ましい。
ＡＯは、炭素数２のアルキレンオキシ基及び炭素数３のアルキレンオキシ基から選ばれるアルキレンオキシ基である。ＡＯは、例えば、エチレンオキシ基及びプロピレンオキシ基から選ばれる１種以上の基が挙げられる。繊維製品用粉末洗浄剤組成物を用いて繊維製品を洗浄する時の泡立ち性が阻害しにくい点で、ＡＯが、エチレンオキシ基を含むアルキレンオキシ基であることが好ましい。ＡＯはエチレンオキシ基が好ましい。
【００２０】
〔（ａ３）成分〕
（ａ３）成分は、アルキル硫酸エステル塩である。（ａ３）成分は、任意成分である。（ａ３）成分は、後述する（Ｂ）成分であるカチオン界面活性剤と複合体を形成することで、カチオン界面活性剤による殺菌効果を低下する作用が大きく、本発明では、使用量が制限される。
【００２１】
（ａ３）成分のアルキル基の炭素数は、カチオン界面活性剤による殺菌効果を低下する作用がより低い観点で、炭素数１６以下が好ましく、１５以下が好ましく、１４以下がより好ましい。そして、１０以上が好ましい。すなわち、（ａ３）成分は、炭素数１０以上、そして、１６以下のアルキル基、好ましくは直鎖アルキル基を有するアルキル硫酸エステル塩が好ましい。
【００２２】
（ａ３）成分は、カチオン界面活性剤による殺菌効果を低下する作用がより低い観点で、全アルキル基中の直鎖アルキル基の割合、更に炭素数１２以上、１６以下の直鎖アルキル基の割合が５０質量％以上、そして、１００質量％以下であるアルキル硫酸エステル塩が好ましい。
【００２３】
（ａ３）成分は、カチオン界面活性剤による殺菌効果を低下する作用がより低い観点から、全アルキル基中の炭素数１２の直鎖アルキル基の割合が好ましくは４０質量％以上、より好ましくは５０質量％以上、より好ましくは６０質量％以上、そして、１００質量％以下であるアルキル硫酸エステル塩が好ましい。
【００２４】
（ａ３）成分は、カチオン界面活性剤による殺菌効果を低下する作用がより低い観点から、全アルキル基中の炭素数１２以上、１６以下の直鎖アルキル基の割合が５０質量％以上であり、且つ全アルキル基中の炭素数１２の直鎖アルキル基の割合が好ましくは４０質量％以上、より好ましくは５０質量％以上、より好ましくは６０質量％以上、そして、１００質量％以下であるアルキル硫酸エステル塩がより好ましい。
【００２５】
（ａ３）成分を構成する塩はナトリウム、カリウムなどのアルカリ金属塩、アルカノールアミン塩、及びマグネシウム、カルシウムなどのアルカリ土類金属塩などを挙げることができる。
【００２６】
本発明の繊維製品用粉末洗浄剤組成物には、（ａ１）成分及び任意の（ａ３）成分以外のアニオン界面活性剤を含む事が出来る。繊維製品用粉末洗浄剤組成物中に含まれる、（ａ１）成分及び任意の（ａ３）成分の含有量の合計量と全アニオン界面活性剤の含有量との質量比である、〔（ａ１）成分の含有量＋（ａ３）成分の含有量〕／全アニオン界面活性剤の含有量は、殺菌効果又は抗菌効果をより向上できる観点で、好ましくは０．８０以上であり、より好ましくは０．８５以上であり、更に好ましくは０．９０以上であり、より更に好ましくは０．９５以上であり、そして好ましくは１．０以下であり、１．０であっても良い。
（ａ１）成分及び任意の（ａ３）成分以外のアニオン界面活性剤としては、例えば炭素数１０以上１８以下の脂肪酸又はその塩が挙げられる。塩としてはナトリウム塩、カリウム塩等のアルカリ金属塩、及びマグネシウム塩等のアルカリ土類金属塩から選ばれる１種以上が挙げられる。
【００２７】
〔（Ａ）成分の組成等〕
本発明の繊維製品用粉末洗浄剤組成物は、（ａ２）成分の含有量と、（ａ１）成分と（ａ２）成分の合計の含有量との質量比である（ａ２）成分／〔（ａ１）成分＋（ａ２）成分〕は０以上０．１５以下である。（ａ２）成分／〔（ａ１）成分＋（ａ２）成分〕は、洗浄時の泡立ち性又は濯ぎ時の泡切れ性が向上できる点で、０．１５以下であり、好ましくは０．１４以下であり、より好ましくは０．１３以下であり、更に好ましくは０．１２以下であり、より更に好ましくは０．１１以下であり、より更に好ましくは０．１０以下であり、より更に好ましくは０．０９以下であり、より更に好ましくは０．０８以下であり、より更に好ましくは０．０７以下であり、より更に好ましくは０．０６以下であり、より更に好ましくは０．０５以下であり、より更に好ましくは０．０４以下であり、より更に好ましくは０．０３以下であり、より更に好ましくは０．０２以下であり、より更に好ましくは０．０１以下であり、そして、０以上である。（ａ２）成分／〔（ａ１）成分＋（ａ２）成分〕は、０であってもよい。
【００２８】
本発明の繊維製品用粉末洗浄剤組成物は、（ａ３）成分の含有量と、（ａ１）成分と（ａ３）成分の合計の含有量との質量比である（ａ３）成分／〔（ａ１）成分＋（ａ３）成分〕が０以上０．１５以下である。（ａ３）成分／〔（ａ１）成分＋（ａ３）成分〕は、カチオン界面活性剤による殺菌効果が高まる観点から、０．１５以下であり、好ましくは、０．１４以下であり、より好ましくは０．１３以下であり、更に好ましくは０．１２以下であり、より更に好ましくは０．１１以下であり、より更に好ましくは０．１０以下であり、より更に好ましくは０．０９以下であり、より更に好ましくは０．０８以下であり、より更に好ましくは０．０７以下であり、より更に好ましくは０．０６以下であり、より更に好ましくは０．０５以下であり、より更に好ましくは０．０４以下であり、より更に好ましくは０．０３以下であり、より更に好ましくは０．０２以下であり、より更に好ましくは０．０１以下であり、そして、０以上である。（ａ３）成分／〔（ａ１）成分＋（ａ３）成分〕は０であってもよい。
【００２９】
本発明の（ａ３）成分は、カチオン界面活性剤による殺菌効果を阻害する点で使用量が制限される。本発明の繊維製品用粉末洗浄剤組成物は、（ａ３）成分の含有量と（Ｂ）成分の含有量との質量比である（ａ３）成分／（Ｂ）成分が、カチオン界面活性剤による殺菌効果を阻害しにくい点で、好ましくは５．０以下であり、より好ましくは４．９以下であり、更に好ましくは４．８以下であり、より更に好ましくは４．７以下であり、より更に好ましくは４．６以下であり、より更に好ましくは４．５以下であり、より更に好ましくは４．４以下であり、より更に好ましくは４．３以下であり、より更に好ましくは４．２以下であり、より更に好ましくは４．０以下であり、より更に好ましくは３以下であり、より更に好ましくは２以下であり、より更に好ましくは１以下であり、そして、０以上である。（ａ３）成分／（Ｂ）成分の質量比は、０であってもよい。
【００３０】
本発明の繊維製品用粉末洗浄剤組成物は、繊維製品に付着した汚れの洗浄性をより高める観点から、（Ａ）成分を、１０質量％以上、好ましくは１１質量％以上、より好ましくは１２質量％以上、更に好ましくは１３質量％以上、より更に好ましくは１４質量％以上、より更に好ましくは１５質量％以上含有する。また、本発明の繊維製品用粉末洗浄剤組成物は、カチオン界面活性剤による殺菌効果をより阻害しにくい観点から、（Ａ）成分を、４０質量％以下、好ましくは３５質量％以下、より好ましくは３０質量％以下含有する。
【００３１】
本発明において、（ａ１）成分及び（ａ３）成分の質量は対イオンをナトリウムイオンに換算した値を使用する。
【００３２】
＜（Ｂ）成分＞
本発明の（Ｂ）成分は、下記（ｂ１）成分、及び任意の下記（ｂ２）成分である。（Ｂ）成分は、下記（ｂ１）成分を含み、下記（ａ２）成分を任意に含む。
（ｂ１）成分：下記一般式（１）において、Ｒ１の炭素数とＲ２の炭素数の合計の数が１５以上２３以下であるカチオン界面活性剤
（ｂ２）成分：下記一般式（１）において、Ｒ１の炭素数が８以上１３以下であり、Ｒ２の炭素数が１以上３以下の炭化水素基であり、Ｒ１の炭素数とＲ２の炭素数の合計の数が９以上１４以下であるカチオン界面活性剤
【００３３】
【化２】
2018104706.tif 000003
【００３４】
〔式中、Ｒ１は、炭素数８以上１６以下の脂肪族炭化水素基であり、Ｒ２は、炭素数１以上１０以下の炭化水素基であり、Ｒ３及びＲ４は、それぞれ独立に、炭素数１以上３以下の炭化水素基及び炭素数１以上３以下のヒドロキシアルキル基から選ばれる基であり、Ｘ−は陰イオンである。〕
【００３５】
本発明では、（Ｂ）成分として（ｂ１）成分及び任意の（ｂ２）成分を所定の質量比で使用することで、洗浄時の泡立ち性を維持しつつ、濯ぎ時の泡切れ性を向上することができる。すなわち、組成物中の（ｂ２）成分の含有量と（ｂ１）成分の含有量との質量比である、（ｂ２）成分／（ｂ１）成分は０以上１．５以下である。
【００３６】
〔（ｂ１）成分〕
（ｂ１）成分は、前記一般式（１）において、Ｒ１の炭素数とＲ２の炭素数の合計の数が１５以上２３以下であるカチオン界面活性剤である。
（ｂ１）成分は、繊維製品に殺菌効果を付与することができ、また繊維製品の洗浄時の泡立ち性を維持しつつ、濯ぎ時の泡切れ性を向上することができる。
【００３７】
（ｂ１）成分のＲ１の炭素数とＲ２の炭素数の合計の数は、洗浄時の泡立ち性を維持しつつ、濯ぎ時の泡切れ性を向上できる観点から、１５以上であり、好ましくは１６以上であり、より好ましくは１７以上であり、そして、２３以下であり、好ましくは１８以下であり、より好ましくは１７以下である。
【００３８】
（ｂ１）成分のＲ１の炭素数は、繊維製品の洗浄時の泡立ち性を維持しつつ、濯ぎ時の泡切れ性を向上できる観点から、８以上であり、好ましくは９以上であり、より好ましくは１０以上であり、更に好ましくは１１以上であり、より更に好ましくは１２以上であり、より更に好ましくは１３以上であり、より更に好ましくは１４以上であり、より更に好ましくは１５以上であり、そして、１６以下である。
【００３９】
（ｂ１）成分のＲ１が、炭素数８以上１０以下の脂肪族炭化水素基の場合は、Ｒ２は、洗浄時の泡立ち性を維持しつつ、濯ぎ時の泡切れ性を向上できる観点から、好ましくは炭素数７以上１０以下の炭化水素基であり、より好ましくはベンジル基又は炭素数８以上１０以下の脂肪族炭化水素基である。
【００４０】
（ｂ１）成分のＲ１が、炭素数１４以上１６以下の脂肪族炭化水素基の場合は、Ｒ２は、洗浄時の泡立ち性を維持しつつ、濯ぎ時の泡切れ性を向上できる観点から、好ましくは炭素数１以上７以下の炭化水素基であり、より好ましくはメチル基、エチル基、プロピル基及びベンジル基から選ばれる基であり、更に好ましくはメチル基、エチル基及びベンジル基から選ばれる基である。また、Ｒ２は、洗浄時の泡立ち性をより阻害しにくい点から、好ましくはメチル基、エチル基及びプロピル基から選ばれる基であり、より好ましくはメチル基及びエチル基から選ばれる基である。
【００４１】
（ｂ１）成分のＲ３及びＲ４は、それぞれ独立に、炭素数１以上３以下の炭化水素基及び炭素数１以上３以下のヒドロキシアルキル基から選ばれる基である。具体例としては、メチル基、エチル基、プロピル基、２−ヒドロキシエチル基から選ばれる基が挙げられる。
【００４２】
（ｂ１）成分のＸ−は陰イオンである。Ｘ−である陰イオンは、ハロゲンイオン及び炭素数１以上３以下のアルキル硫酸イオンが挙げられる。ハロゲンイオンとしては、クロルイオン、ブロモイオン、ヨウ素イオンが挙げられる。炭素数１以上３以下のアルキル硫酸イオンとしては、メチル硫酸イオン、エチル硫酸イオン又はプロピル硫酸イオンが挙げられる。
【００４３】
（ｂ１）成分は、繊維製品の洗浄時の泡立ち性を維持しつつ、濯ぎ時の泡切れ性をより向上出来る観点から、好ましくはＮ−アルキルトリメチルアンモニウム塩（アルキル基は炭素数１５以上１６以下の脂肪族アルキル基）、Ｎ−アルキル−Ｎ，Ｎ−ジメチル−Ｎ−エチルアンモニウム塩（アルキル基は炭素数１５以上１６以下の脂肪族アルキル基）、Ｎ−アルキル−Ｎ，Ｎ−ジメチル−Ｎ−ベンジルアンモニウム塩（アルキル基は炭素数８以上１６以下の脂肪族アルキル基）、Ｎ，Ｎ−ジアルキル（アルキル基は炭素数８以上１０以下の脂肪族アルキル基）−Ｎ，Ｎ−ジメチルアンモニウム塩及びＮ，Ｎ−ジアルキル（アルキル基は炭素数８以上１０以下の脂肪族アルキル基）−Ｎ−エチル−Ｎ−メチルアンモニウム塩から選ばれる１種以上のカチオン界面活性剤が挙げられる。
【００４４】
Ｎ−アルキルトリメチルアンモニウム塩（アルキル基は炭素数１５以上１６以下の脂肪族アルキル基）の具体例としては、Ｎ−パルミチルトリメチルアンモニウム塩から選ばれる１種以上のカチオン界面活性剤が挙げられる。
【００４５】
Ｎ−アルキル−Ｎ，Ｎ−ジメチル−Ｎ−エチルアンモニウム塩（アルキル基は炭素数１５以上１６以下の脂肪族アルキル基）の具体例としては、Ｎ−パルミチル−Ｎ，Ｎ−ジメチル−Ｎ−エチルアンモニウム塩から選ばれる１種以上のカチオン界面活性剤が挙げられる。
【００４６】
Ｎ−アルキル−Ｎ，Ｎ−ジメチル−Ｎ−ベンジルアンモニウム塩（アルキル基は炭素数８以上１６以下の脂肪族アルキル基）の具体例としては、Ｎ−オクチル−Ｎ，Ｎ−ジメチル−Ｎ−ベンジルアンモニウム塩、Ｎ−デシル−Ｎ，Ｎ−ジメチル−Ｎ−ベンジルアンモニウム塩、Ｎ−ラウリル−Ｎ，Ｎ−ジメチル−Ｎ−ベンジルアンモニウム塩、Ｎ−ミリスチル−Ｎ，Ｎ−ジメチル−Ｎ−ベンジルアンモニウム塩及びＮ−パルミチル−Ｎ，Ｎ−ジメチル−Ｎ−ベンジルアンモニウム塩から選ばれる１種以上のカチオン界面活性剤が挙げられる。
【００４７】
Ｎ，Ｎ−ジアルキル（アルキル基は炭素数８以上１０以下の脂肪族アルキル基）−Ｎ，Ｎ−ジメチルアンモニウム塩の具体例としては、Ｎ，Ｎ−ジオクチル−Ｎ，Ｎ−ジメチルアンモニウム塩、Ｎ，Ｎ−ジノニル−Ｎ，Ｎ−ジメチルアンモニウム塩及びＮ，Ｎ−ジデシル−Ｎ，Ｎ−ジメチルアンモニウム塩から選ばれる１種以上のカチオン界面活性剤が挙げられる。
【００４８】
Ｎ，Ｎ−ジアルキル（アルキル基は炭素数８以上１０以下の脂肪族アルキル基）−Ｎ−エチル−Ｎ−メチルアンモニウム塩の具体例としては、Ｎ，Ｎ−ジオクチル−Ｎ−エチル−Ｎ−メチルアンモニウム塩、Ｎ，Ｎ−ジノニル−Ｎ−エチル−Ｎ−メチルアンモニウム塩及びＮ，Ｎ−ジデシル−Ｎ−エチル−Ｎ−メチルアンモニウム塩から選ばれる１種以上のカチオン界面活性剤が挙げられる。
【００４９】
上記の塩となる対イオンである陰イオンは、ハロゲンイオン及び炭素数１以上３以下のアルキル硫酸イオンが挙げられる。ハロゲンイオンとしては、クロルイオン、ブロモイオン、ヨウ素イオンが挙げられる。炭素数１以上３以下のアルキル硫酸イオンとしては、メチル硫酸イオン、エチル硫酸イオン又はプロピル硫酸イオンが挙げられる。
【００５０】
〔（ｂ２）成分〕
本発明の（ｂ２）成分は、前記一般式（１）において、Ｒ１の炭素数が８以上１３以下であり、Ｒ２の炭素数が１以上３以下の炭化水素基であり、Ｒ３及びＲ４は、それぞれ独立に、炭素数１以上３以下の炭化水素基及び炭素数１以上３以下のヒドロキシアルキル基から選ばれる基であり、Ｒ１の炭素数とＲ２の炭素数の合計の数が、９以上１４以下であるカチオン界面活性剤である。（ｂ２）成分は、任意の成分である。
（ｂ２）成分は洗浄液中の殺菌効果に優れ、また、繊維製品の洗浄時の泡立ち性を維持することができる。
【００５１】
（ｂ２）成分のＲ１の炭素数とＲ２の炭素数の合計の数は、洗浄液中の殺菌効果を向上し、また、繊維製品の洗浄時の泡立ち性を維持できる観点から、９以上であり、好ましくは１０以上であり、より好ましくは１１以上であり、そして、１４以下であり、好ましくは１３以下である。
【００５２】
洗浄液中の殺菌効果を高め、又は繊維製品の洗浄時の泡立ち性を維持できる観点から、（ｂ２）成分のＲ１の炭素数は、８以上であり、好ましくは９以上であり、より好ましくは１０以上であり、そして、１３以下であり、好ましくは１２以下である。
【００５３】
洗浄液中の殺菌効果を向上し、また、繊維製品の洗浄時の泡立ち性を維持できる観点から、（ｂ２）成分のＲ２の炭素数は、１以上であり、そして、好ましくは３以下であり、より好ましくは２以下である。
【００５４】
（ｂ２）成分のＲ２は洗浄液中の殺菌効果の向上の観点から、炭素数１以上３以下の炭化水素基であり、好ましくは炭素数１以上３以下のアルキル基であり、より好ましくはメチル基、エチル基及びプロピル基から選ばれる基であり、更に好ましくはメチル基及びエチル基から選ばれる基である。
【００５５】
（ｂ２）成分のＲ３及びＲ４は、それぞれ独立に、炭素数１以上３以下の炭化水素基及び炭素数１以上３以下のヒドロキシアルキル基から選ばれる基である。具体例としては、メチル基、エチル基、プロピル基、２−ヒドロキシエチル基から選ばれる基が挙げられる。（ｂ２）成分のＲ３及びＲ４は、洗浄液中の殺菌効果を向上し、また、繊維製品の洗浄時の泡立ち性を維持できる観点から、それぞれ独立に、好ましくは、メチル基、エチル基である。
【００５６】
（ｂ２）成分において、Ｘ−は陰イオンである。Ｘ−である陰イオンは、ハロゲンイオン及び炭素数１以上３以下のアルキル硫酸イオンが挙げられる。ハロゲンイオンとしては、クロルイオン、ブロモイオン、ヨウ素イオンが挙げられる。炭素数１以上３以下のアルキル硫酸イオンとしては、メチル硫酸イオン、エチル硫酸イオン又はプロピル硫酸イオンが挙げられる。
【００５７】
（ｂ２）成分の具体的例は、Ｎ−アルキルトリメチルアンモニウム塩（アルキル基は炭素数８以上１３以下の脂肪族アルキル基）、Ｎ−アルキル−Ｎ，Ｎ−ジメチル−Ｎ−エチルアンモニウム塩（アルキル基は炭素数８以上１２以下の脂肪族アルキル基）から選ばれる１種以上のカチオン界面活性剤が挙げられる。
【００５８】
Ｎ−アルキルトリメチルアンモニウム塩（アルキル基は炭素数８以上１３以下の脂肪族アルキル基）の具体例としては、Ｎ−デシルトリメチルアンモニウム塩、Ｎ−ウンデシルトリメチルアンモニウム塩及びＮ−ラウリルトリメチルアンモニウム塩から選ばれる１種以上カチオン界面活性剤が挙げられる。
【００５９】
Ｎ−アルキル−Ｎ，Ｎ−ジメチル−Ｎ−エチルアンモニウム塩（アルキル基は炭素数８以上１２以下の脂肪族アルキル基）の具体例としては、Ｎ−デシル−Ｎ，Ｎ−ジメチル−Ｎ−エチルアンモニウム塩、Ｎ−ウンデシル−Ｎ，Ｎ−ジメチル−Ｎ−エチルアンモニウム塩、Ｎ−ラウリル−Ｎ，Ｎ−ジメチル−Ｎ−エチルアンモニウム塩から選ばれる１種以上のカチオン界面活性剤が挙げられる。
【００６０】
上記の塩となる対イオンである陰イオンは、ハロゲンイオン及び炭素数１以上３以下のアルキル硫酸イオンが挙げられる。ハロゲンイオンとしては、クロルイオン、ブロモイオン、ヨウ素イオンが挙げられる。炭素数１以上３以下のアルキル硫酸イオンとしては、メチル硫酸イオン、エチル硫酸イオン又はプロピル硫酸イオンが挙げられる。
【００６１】
〔（Ｂ）成分の組成等〕
（Ｂ）成分は、（ｂ１）成分、及び任意の（ｂ２）成分である。
本発明の繊維製品用粉末洗浄剤組成物は、（ｂ２）成分の含有量と（ｂ１）成分の含有量との質量比である、（ｂ２）成分／（ｂ１）成分が０以上１．５以下である。（ｂ２）成分／（ｂ１）成分は、洗浄時の泡立ち性を維持しつつ、濯ぎ時の泡切れ性を向上することができる観点から、１．５以下であり、好ましくは１．４以下であり、更に好ましくは１．０以下であり、より好ましくは０．８以下であり、より更に好ましくは０．７以下であり、より更に好ましくは０．５５以下であり、より更に好ましくは０．４５以下であり、より更に好ましくは０．３５以下であり、より更に好ましくは０．２５以下であり、より更に好ましくは０．２０以下であり、より更に好ましくは０．１８以下であり、より更に好ましくは０．１２以下であり、より更に好ましくは０．０６以下であり、そして、０以上である。（ｂ２）成分／（ｂ１）成分は０であってもよい。
【００６２】
本発明の繊維製品用粉末洗浄剤組成物は、殺菌効果をより高める点で、（Ｂ）成分を、０．５質量％以上、好ましくは０．６質量％以上、より好ましくは０．７質量％以上、更に好ましくは０．８質量％以上、そして、５質量％以下、好ましくは４．５質量％以下、より好ましくは４質量％以下、より更に好ましくは３．５質量％以下、より更に好ましくは３質量％以下、より更に好ましくは２．５質量％以下含有する。
【００６３】
本発明において、（Ｂ）成分の質量は対イオンである陰イオンをクロルイオンに換算した値を使用する。
【００６４】
＜（Ｃ）成分＞
（Ｃ）成分は、無機炭酸塩及び無機炭酸水素塩から選ばれる１種以上のアルカリ剤である。（Ｃ）成分は、（Ｄ）成分のカルボン酸基又はその塩を十分にイオンに解離させることで、洗浄液中で充分に解離した（Ｄ）成分と（Ｂ）成分である第４級アンモニウム基を有するカチオン界面活性剤がイオン結合による複合体を形成しやすくする。これにより、（Ａ）成分であるアニオン界面活性剤の存在下であっても、菌に対する殺菌作用が低下せずに殺菌効果を維持することができる。
【００６５】
無機炭酸塩の具体例としては、１価又は２価の金属の炭酸塩及び炭酸アンモニウムから選ばれる１種以上の無機炭酸塩が挙げられる。１価の金属の炭酸塩としては、アルカリ金属炭酸塩が挙げられ、より具体的には、炭酸ナトリウム、炭酸カリウム及び炭酸リチウムから選ばれる１種以上の化合物が挙げられる。２価の金属の炭酸塩としては、アルカリ土類金属炭酸塩が挙げられ、より具体的には、炭酸マグネシウムが挙げられる。
【００６６】
無機炭酸水素塩の具体例としては、１価又は２価の金属の炭酸水素塩及び炭酸水素アンモニウムから選ばれる１種以上の無機炭酸水素塩が挙げられる。１価の金属の炭酸水素塩としては、アルカリ金属炭酸水素塩が挙げられ、より具体的には、炭酸水素ナトリウム、炭酸水素カリウム及び炭酸水素リチウムから選ばれる１種以上の化合物が挙げられる。２価の金属の炭酸水素塩としては、アルカリ土類金属炭酸水素塩が挙げられ、より具体的には、炭酸水素マグネシウムが挙げられる。
【００６７】
（ａ１）成分及び任意の（ａ３）成分が存在しても、（Ｂ）成分の殺菌効果の低下をより阻害しにくい点で、好ましい（Ｃ）成分は、１価の金属の炭酸塩、炭酸アンモニウム、１価の金属の炭酸水素塩及び炭酸水素アンモニウムから選ばれる化合物であり、より好ましくは１価の金属の炭酸塩及び１価の金属の炭酸水素塩であり、更に好ましくはアルカリ金属炭酸塩及びアルカリ金属炭酸水素塩から選ばれる１種以上の化合物であり、より更に好ましくは炭酸ナトリウム、炭酸カリウム、炭酸水素ナトリウム及び炭酸水素カリウムから選ばれる１種以上の化合物である。
【００６８】
本発明の繊維製品用粉末洗浄剤組成物は、（ａ１）成分及び任意の（ａ３）成分が存在しても、（Ｂ）成分の殺菌効果の低下をより阻害しにくい点で、（Ｃ）成分を、好ましくは５質量％以上、より好ましくは８質量％以上、更に好ましくは１０質量％以上、より更に好ましくは１２質量％以上、そして、好ましくは６０質量％以下、より好ましくは５５質量％以下、更に好ましくは５０質量％以下、より更に好ましくは５０質量％以下含有する。この含有量は、（Ｃ）成分が、洗浄液中で（Ｄ）成分を十分に解離させることで（Ｂ）成分である第４級アンモニウム基を有するカチオン界面活性剤とのイオン結合による複合体を形成しやすくし、（Ａ）成分であるアニオン界面活性剤の存在下であっても、菌に対する殺菌作用が低下せずに殺菌効果を維持できる点で好ましい範囲である。
【００６９】
＜（Ｄ）成分＞
（Ｄ）成分は、カルボン酸基又はその塩を有し、重量平均分子量が３０００以上のポリマーである。特定の分子量の（Ｄ）成分を用いることで、（ａ１）成分が存在していても、（Ｂ）成分の殺菌効果の低下を抑制することができる。（Ｄ）成分としては、特に限定されるものではないが、ポリアクリル酸又はその塩及びアクリル酸とマレイン酸のコポリマー又はその塩から選ばれるポリマー〔以下、（Ｄ１）成分という〕が挙げられる。
ポリアクリル酸又はその塩としては、ポリアクリル酸、ポリアクリル酸ナトリウム、ポリアクリル酸カリウム等が挙げられ、好ましくはポリアクリル酸ナトリウム、ポリアクリル酸カリウムが挙げられる。
アクリル酸とマレイン酸のコポリマー又はその塩としては、アクリル酸とマレイン酸のコポリマー、アクリル酸とマレイン酸のコポリマーのナトリウム塩、アクリル酸とマレイン酸のコポリマーのカリウム塩等が挙げられ、好ましくはアクリル酸とマレイン酸のコポリマーのナトリウム塩、アクリル酸とマレイン酸のコポリマーのカリウム塩が挙げられる。アクリル酸とマレイン酸のコポリマーのモル比は、アクリル酸のモル数／マレイン酸のモル数として、好ましくは１／９９以上、より好ましくは１０／９０以上、そして、好ましくは９９／１以下、より好ましくは９０／１０以下である。
【００７０】
本発明の（Ｄ１）成分は、本発明の効果の発現を妨げない程度であれば、アクリル酸及びマレイン酸以外のモノマーであって、アクリル酸及び／又はマレイン酸と共重合可能なモノマーを含んだコポリマーであってもよい。アクリル酸及びマレイン酸以外のモノマーであって、アクリル酸及び／又はマレイン酸と共重合可能なモノマーとしては、ビニル系モノマー、アクリル系モノマー、スチレン系モノマー等が挙げられ、より具体的にはメタクリル酸、アクリル酸メチル、アクリル酸エチル、メタクリル酸メチル、スチレン等が挙げられる。アクリル酸及びマレイン酸以外のモノマーであって、アクリル酸及び／又はマレイン酸と共重合可能なモノマーの（Ｄ１）成分中のモル比は、（Ｄ１）成分として水溶性等の物性や本発明の効果の発現に対して影響を与えなければ限定されないが、（Ｄ１）成分中に、好ましくは０モル％以上、そして、好ましくは５モル％以下、より好ましくは３モル％以下であり、０モル％であることが更に好ましい。従って、本発明のポリアクリル酸又はその塩、及び、アクリル酸とマレイン酸のコポリマー又はその塩は、全構成モノマー中、アクリル酸及びマレイン酸以外のモノマーであって、アクリル酸及び／又はマレイン酸と共重合可能なモノマーを、０モル％以上５モル％以下の範囲で含むポリマー又はコポリマーであってよい。
【００７１】
他の好ましい（Ｄ）成分としては、構成単位として、カルボン酸基及び酸無水物から選択される少なくともいずれかを有するモノマー構成単位と、（以下、酸型モノマー構成単位という）と、炭素数３以上、１０以下の炭化水素のモノマー構成単位（以下、炭化水素型モノマー構成単位という）とを有するポリマー〔以下、（Ｄ２）成分という〕が挙げられる。ここでの酸無水物としては、オキソ酸２分子が脱水縮合した構造が挙げられ、より具体的には、２つのカルボン酸基からの無水化構造が挙げられる。
【００７２】
酸型モノマー構成単位は、重合によりこのような構造を形成する単量体の重合により得られる。前記構成単位の由来となる単量体としては、マレイン酸、無水マレイン酸等が挙げられる。酸型モノマー構成単位は、マレイン酸及び無水マレイン酸から選ばれる１種以上のモノマー構成単位が好ましい。
【００７３】
また、炭化水素型モノマー構成単位は、炭素数３以上１０以下の重合性炭化水素化合物の重合により得られる。前記重合性炭化水素化合物としては、ペンテン、イソブチレン、ジイソブチレン、スチレン等が挙げられる。炭化水素型モノマー構成単位は、ペンテン、イソブチレン、ジイソブチレン及びスチレンから選ばれる１種以上のモノマー構成単位が好ましく、ジイソブチレン及びスチレンから選ばれる１種以上のモノマー構成単位がより好ましく、スチレンのモノマー構成単位が更に好ましい。
【００７４】
（Ｄ２）成分としては、マレイン酸及び無水マレイン酸から選ばれる１種以上のマレイン酸型モノマーと、ペンテン、イソブチレン、ジイソブチレン及びスチレンから選ばれる１種以上の炭化水素型モノマーとを構成モノマーとして含む高分子化合物であって、構成モノマー中、前記マレイン酸型モノマー単位と前記炭化水素型モノマーの合計が８０モル％以上である高分子化合物が挙げられる。
（Ｄ２）成分は、酸型モノマー構成単位／炭化水素型モノマー構成単位のモル比が、好ましくは２０／８０以上、より好ましくは３０／７０以上であり、そして、好ましくは９０／１０以下、より好ましくは８０／２０以下である。
（Ｄ２）成分は、構成モノマー中、前記マレイン酸型モノマー単位と前記炭化水素型モノマーの合計が８０モル％以上、好ましくは９０モル％以上、より好ましくは１００モル％である。
【００７５】
（Ｄ）成分の重量平均分子量は、（Ｂ）成分である第４級アンモニウム基を有するカチオン界面活性剤とのイオン結合による複合体による殺菌効果をより高める点で、３０００以上であり、好ましくは３５００以上であり、より好ましくは４０００以上であり、更に好ましくは５０００以上であり、より更に好ましくは６０００以上であり、より更に好ましくは７０００以上であり、より更に好ましくは８０００以上であり、より更に好ましくは９０００以上であり、より更に好ましくは１００００以上であり、そして、好ましくは１０００００以下である。
この重量平均分子量は、下記の重量平均分子量の測定方法に従って測定することができる。
＜重量平均分子量の測定方法＞
（Ｄ）成分の重量平均分子量は、ＧＰＣ（ゲル浸透クロマトグラフィー）により測定を行い、換算標準物質により重量平均分子量（Ｍｗ）を求めることができる。
以下に、ＧＰＣの測定条件を示す。
・カラム：東ソー（株）製、商品名:TSK-GEL guard PWXL
東ソー（株）製、商品名:TSK-GEL G4000 PWXL
東ソー（株）製、商品名:TSK-GEL G2500 PWXL
・移動相：０．１ｍｏｌ／Ｌリン二水素カリウム及び０．１ｍｏｌ／Ｌリン酸二水素ナトリウムの水溶液／アセトニトリル＝９０／１０（体積比）
・検出器：示差屈折率検出器
・カラム温度：４０℃
・流速：１．０ｍＬ／ｍｉｎ
・換算標準物質：ポリアクリル酸〔アメリカン・スタンダード・コーポレーション（AMERICANSTANDARDCORP）社製〕
・試料：固形分０．８ｇを含む重合体水溶液にイオン交換水を添加し、総液量が２００ｍＬとなるように調製し、この調製液から１０μＬを分取してカラムに注入する。
【００７６】
（Ｄ）成分は、重量平均分子量が３０００以上１０００００以下のポリアクリル酸又はその塩及び重量平均分子量が３０００以上１０００００以下のアクリル酸とマレイン酸のコポリマー又はその塩から選ばれる１種以上のポリマーが好ましく、重量平均分子量が３０００以上１０００００以下のポリアクリル酸又はその塩から選ばれる１種以上のポリマーがより好ましい。
【００７７】
本発明の繊維製品用粉末洗浄剤組成物は、（Ｂ）成分である第４級アンモニウム基を有するカチオン界面活性剤とのイオン結合による複合体による殺菌効果をより高める点で、（Ｄ）成分を、好ましくは１質量％以上、より好ましくは１．２質量％以上、更に好ましくは１．５質量％以上、より更に好ましくは１．７質量％以上、より更に好ましくは２質量％以上、より更に好ましくは２．５質量％以上、より更に好ましくは３．０質量％以上、より更に好ましくは３．５質量％以上、より更に好ましくは４．０質量％以上、より更に好ましくは５．０質量％以上、そして、好ましくは１０質量％以下、更に好ましくは９質量％以下、より好ましくは８質量％以下含有する。
【００７８】
本発明の繊維製品用粉末洗浄剤組成物は、洗浄液中に存在する菌の殺菌効果をより高める観点から、組成物中の（Ｄ）成分の含有量と（Ｂ）成分の含有量の質量比である、（Ｄ）成分／（Ｂ）成分が、好ましくは０．５以上、より好ましくは１以上、更に好ましくは１．２以上、より更に好ましくは１．５以上、より更に好ましくは２．０以上、より更に好ましくは２．５以上、より更に好ましくは３．０以上、より更に好ましくは３．５以上、より更に好ましくは４．０以上、より更に好ましくは４．５以上、より更に好ましくは５．０以上、そして、好ましくは１０以下、より好ましくは９以下、更に好ましくは８以下、より更に好ましくは７以下、より更に好ましくは６以下である。
【００７９】
本発明において、（Ｄ）成分の質量は対イオンをナトリウムイオンに換算した値を使用する。
【００８０】
＜任意成分等＞
〔（Ｅ）成分〕
本発明の繊維製品用粉末洗浄剤組成物は、（Ｅ）成分として、ゼオライト、トリポリリン酸塩及びアルカリ金属珪酸塩から選ばれる１種以上の金属イオン捕捉剤を含有することが好ましい。（Ｅ）成分は一般的には、繊維製品に付着した汚れの洗浄性を向上する為に使用される。しかしながら、本発明においては、とりわけ、（Ｂ）成分であるカチオン界面活性剤の殺菌効果を高める作用を有する。これは、（Ｂ）成分であるカチオン界面活性剤と（ａ１）成分及び任意の（ａ３）成分との複合体の菌への吸着性を高めるためである、又は（Ｂ）成分が（ａ１）成分及び任意の（ａ３）成分と複合体を形成していても、（Ｂ）成分であるカチオン界面活性剤の菌への作用を高めるためであると考えられる。
【００８１】
ゼオライトは結晶性アルミノ珪酸塩とも呼ばれる。具体的なゼオライトとして、Ａ型、Ｘ型、Ｐ型ゼオライト等の結晶性アルミノ珪酸塩を含有できる。その平均一次粒子径は好ましくは０．１μｍ以上、より好ましくは１μｍ以上、そして、好ましくは１０μｍ以下、より好ましくは５μｍ以下である。結晶性アルミノ珪酸塩として好適なものは、Ａ型ゼオライト（例えば、商品名「トヨビルダー」：東ソー（株）製、ＪＩＳ  Ｋ  ５１０１法による吸油能：４０ｍＬ／１００ｇ以上）が好ましい。その他に、Ｐ型（例えば、商品名「Ｄｏｕｃｉｌ  Ａ２４」、「ＺＳＥＯ６４」等；いずれもCrosfield社製；吸油能６０〜１５０ｍＬ／１００ｇ）、Ｘ型（例えば、商品名「WessalithXD」、；Degussa社製；吸油能８０〜１００ｍＬ／１００ｇ）、国際公開第９８４２６２２号記載のハイブリッドゼオライトも好適なものとして挙げられる。
【００８２】
トリポリリン酸塩中の対イオンとしては、アルカリ金属イオンが好ましく、ナトリウムイオン及びカリウムイオンから選ばれるイオンがより好ましい。全対イオン中、ナトリウムイオン及びカリウムイオンの質量比は、７０質量％以上が好ましく、８５質量％以上がより好ましい。トリポリリン酸塩と組み合わせてオルトリン酸塩及びピロリン酸塩を使用することができる。トリポリリン酸塩、オルトリン酸塩及びピロリン酸塩の質量比は、トリポリリン酸塩／オルトリン酸塩／ピロリン酸塩＝（８０質量部以上９７質量部以下）／（１質量部以上１０質量部以下）／（２質量部以上１０質量部以下）が好適である（量は無水物として計算、３つの質量部の合計は１００質量部）。
【００８３】
アルカリ金属珪酸塩としては、結晶質のケイ酸ナトリウム、非晶質のケイ酸ナトリウム及び液体のケイ酸ナトリウムから選ばれる１種以上のケイ酸ナトリウムが好ましい。
【００８４】
（Ｅ）成分である金属イオン捕捉剤は、洗浄液中の菌の殺菌効果をより高めることができる点で、ゼオライト、トリポリリン酸塩及びアルカリ金属ケイ酸塩から選ばれる２種以上の金属イオン捕捉剤を使用することができる。（Ｅ）成分を２種以上含有する場合、ゼオライト及びアルカリ金属珪酸塩であることが好ましい。
【００８５】
本発明の繊維製品用粉末洗浄剤組成物が（Ｅ）成分を含有する場合、該組成物中の（Ｅ）成分の含有量は、殺菌効果をより高める点で、好ましくは５質量％以上であり、より好ましくは６質量％以上であり、更に好ましくは７質量％以上であり、より更に好ましくは８質量％以上であり、より更に好ましくは９質量％以上であり、より更に好ましくは１０質量％以上であり、より更に好ましくは１１質量％以上であり、そして、好ましくは３０質量％以下であり、より好ましくは２０質量％以下である。
【００８６】
〔その他の成分〕
本発明の繊維製品用粉末洗浄剤組成物は、更に以下の成分を含有することができる。
（ｉ）洗浄剤粒子の流動性及び非ケーキング性の観点から、表面改質剤を含有してもよい。表面改質被覆剤としては、例えば、珪酸カルシウム、二酸化ケイ素、ベントナイト、タルク、クレイ等の粘土鉱物、カルボキシメチルセルロース、ポリエチレングリコールが挙げられる。表面改質剤の含量は保存安定性の点で、本発明の繊維製品用粉末洗浄剤組成物中の２０質量％以下が好ましく、１５質量％以下がより好ましい。また、表面改質の点で、本発明の洗浄剤組成物中の１質量％以上が好ましく、３質量％以上がより好ましく、５質量％以上がより好ましい。
（ii）ポリビニルピロリドン等の色移り防止剤
（iii）セルラーゼ、アミラーゼ、ペクチナーゼ、プロテアーゼ、リパーゼ等の酵素
（iv）蛍光染料、例えばチノパールＣＢＳ（商品名、チバスペシャリティケミカルズ製）やホワイテックスＳＡ（商品名、住友化学（株）製）として市販されている蛍光染料
（ｖ）ブチルヒドロキシトルエン、ジスチレン化クレゾール、亜硫酸ナトリウム及び亜硫酸水素ナトリウム等の酸化防止剤
（vii）色素、香料、抗菌防腐剤、シリコーン等の消泡剤
（viii）イオン交換水、水道水、イオン交換水に次亜塩素酸ナトリウムを、水の質量に対して０．１〜５ｍｇ／ｋｇ添加した水等の水
【００８７】
本発明の繊維製品用粉末洗浄剤組成物は、手洗い洗浄用として好適である。手洗い洗浄の場合、油汚れに対する洗浄力の向上の観点から、本発明の繊維製品用粉末洗浄剤組成物は、水１Ｌに対して、好ましくは０．５ｇ以上、より好ましくは０．７ｇ以上、更に好ましくは１ｇ以上であり、そして、好ましくは３０ｇ以下、より好ましくは２０ｇ以下、更に好ましくは１０ｇ以下、より更に好ましくは５ｇ以下の濃度で用いられる。
【００８８】
本発明の繊維製品用粉末洗浄剤組成物は、目的に応じて洗濯機でも使用できる。洗濯機での洗浄の場合、油汚れに対する洗浄力及び使用時のｐＨの観点から、本発明の繊維製品用粉末洗浄剤組成物は、水１Ｌに対して、好ましくは０．３ｇ以上、より好ましくは０．５ｇ以上、更に好ましくは１ｇ以上であり、そして、好ましくは１０ｇ以下、より好ましくは７ｇ以下、更に好ましくは３ｇ以下の濃度で用いられる。
【００８９】
本発明の衣料用洗浄剤組成物の形態は粉末である。本発明の衣料用洗浄剤組成物を粉末として製造する方法は、特に限られるものではないが、例えば押し出し造粒法、圧縮造粒法、溶融造粒法、噴霧乾燥造粒法、流動層造粒法、破砕造粒法、撹拌造粒法、液晶造粒法、真空凍結乾燥造粒法、ドライ中和造粒法などが挙げられ、これらの製造方法を単一または組み合わせて使用してもよい。
【００９０】
本発明の繊維製品用粉末洗浄剤組成物の嵩密度は、製造方法によっても異なるが、好ましくは２００ｇ／Ｌ以上、より好ましくは３００ｇ／Ｌ以上、より好ましくは３５０ｇ／Ｌ以上であり、そして、好ましくは１０００ｇ／Ｌ以下、より好ましくは９００ｇ／Ｌ以下、より好ましくは８００ｇ／Ｌ以下である。
【００９１】
本発明の繊維製品用粉末洗浄剤組成物の平均粒径は、好ましくは１００μｍ以上であり、１５０μｍ以上がより好ましく、２００μｍ以上がより好ましく、そして、好ましくは８００μｍ以下であり、７５０μｍ以下がより好ましく、７００μｍ以下がより好ましい。
噴霧乾燥造粒法は、前記範囲の嵩密度や平均粒径を有する組成物を得るのに適している。
本発明の繊維製品用粉末洗浄剤組成物は、衣類、タオル、寝具、寝具用の繊維製品（シーツ、枕カバーなど）などの繊維製品の洗浄に用いられる。これら以外の洗浄が可能な繊維製品も対象とすることができる。
【００９２】
［繊維製品の洗浄方法］
本発明の繊維製品用粉末洗浄剤組成物を用いた洗浄方法として、本発明の繊維製品用粉末洗浄剤組成物と水とを混合して得た洗浄液を用いて、繊維製品を洗浄する、繊維製品の洗浄方法が挙げられる。
本発明は、本発明の繊維製品用粉末洗浄剤組成物とドイツ硬度が１°ｄＨ以上５０°ｄＨ以下の水とを混合した洗浄液で、繊維製品を洗浄する、繊維製品の洗浄方法を提供する。
【００９３】
洗浄液のｐＨは、好ましくは５．５以上、より好ましくは６以上、更に好ましくは７以上、より更に好ましくは８以上、より更に好ましくは８．５以上、より更に好ましくは９以上、より更に好ましくは１０以上、そして、好ましくは１０．５以下である。
本発明の洗浄液のｐＨは、例えば、ガラス電極を用いて測定することができる。ｐＨは、洗浄を行う際の洗浄液の温度で測定されたものであるが、２５℃で測定されたものであってよい。
【００９４】
洗浄液の調製のため組成物と混合する水のアルカリ度は０ｍｇ／Ｌ以上２００ｍｇ／Ｌ以下から選択できる。
また、洗浄液の調製のため組成物と混合する水のドイツ硬度は１゜ｄＨ以上５０゜ｄＨ以下から選択できる。
よって、洗浄液の調製のため組成物と混合する水は、アルカリ度０ｍｇ／Ｌ以上２００ｍｇ／Ｌ以下、ドイツ硬度１゜ｄＨ以上５０゜ｄＨ以下の水が挙げられる。
【００９５】
洗浄に使用される水は、地質の影響や微生物の存在により、炭酸、炭酸イオン、炭酸水素イオンを含有することが知られており、これらのイオン量の指標としてアルカリ度が用いられている。水中での炭酸イオンと炭酸水素イオンのｐＫａはそれぞれ１０．３及び６．３（２０℃）であることから、ｐＨ１０．３並びに６．３近傍でｐＨ緩衝能を持つため、洗浄液のｐＨが各ｐＫａに近づくと少量の酸成分やアルカリ成分ではｐＨの変化が起きにくくなる。
【００９６】
本発明の繊維製品の洗浄方法によれば、硬度成分を有する水を使用しても、洗浄液中に存在する菌の殺菌効果を発現することができる。洗浄に使用される水のドイツ硬度は、洗浄に使用される水のｐＨを下げる観点から、１°ｄＨ以上、更に５°ｄＨ以上であっても使用できる。一方、水のドイツ硬度は、洗浄力の向上の観点から５０°ｄＨ以下、好ましくは４０°ｄＨ以下、より好ましくは３０°ｄＨ以下、より好ましくは２５°ｄＨ以下である。
【００９７】
本明細書におけるドイツ硬度（°ｄＨ）とは、水中におけるカルシウム及びマグネシウムの濃度を、ＣａＣＯ３換算濃度で１ｍｇ／Ｌ（ｐｐｍ）＝約０．０５６°ｄＨ（１°ｄＨ＝１７．８ｐｐｍ）で表したものを指す。洗浄に使用される水のドイツ硬度の調整は、例えば、本明細書の実施例に記載の方法のように、硬度成分の種類や添加量から計算される値に基づいて行うことができる。また、洗浄に使用される水として、水道水等の硬度が不明の水を用いる場合には、水のドイツ硬度は、下記に記載のエチレンジアミン四酢酸二ナトリウム塩を使用したキレート滴定法で求められる。
本明細書における水のドイツ硬度の具体的な測定方法を下記に示す。
【００９８】
＜水のドイツ硬度の測定方法＞
〔試薬〕
・０．０１ｍｏｌ／ｌ  ＥＤＴＡ・２Ｎａ溶液：エチレンジアミン四酢酸二ナトリウムの０．０１ｍｏｌ／ｌ水溶液（滴定用溶液、0.01 M EDTA-Na2、シグマアルドリッチ（SIGMA-ALDRICH）社製）
・Ｕｎｉｖｅｒｓａｌ  ＢＴ指示薬（製品名：Ｕｎｉｖｅｒｓａｌ  ＢＴ、（株）同仁化学研究所製）
・硬度測定用アンモニア緩衝液（塩化アンモニウム６７．５ｇを２８ｗ／ｖ％アンモニア水５７０ｍｌに溶解し、イオン交換水で全量を１０００ｍｌとした溶液）
〔ドイツ硬度の測定〕
（１）試料となる水２０ｍｌをホールピペットでコニカルビーカーに採取する。
（２）硬度測定用アンモニア緩衝液２ｍｌ添加する。
（３）Ｕｎｉｖｅｒｓａｌ  ＢＴ指示薬を０．５ｍｌ添加する。添加後の溶液が赤紫色であることを確認する。
（４）コニカルビーカーをよく振り混ぜながら、ビュレットから０．０１ｍｏｌ／ｌ  ＥＤＴＡ・２Ｎａ溶液を滴下し、試料となる水が青色に変色した時点を滴定の終点とする。
（５）全硬度は下記の算出式で求める。
硬度（°ｄＨ）＝Ｔ×０．０１×Ｆ×５６．０７７４×１００／Ａ
Ｔ：０．０１ｍｏｌ／ｌ  ＥＤＴＡ・２Ｎａ溶液の滴定量（ｍＬ）
Ａ：サンプル容量（２０ｍＬ、試料となる水の容量）
Ｆ：０．０１ｍｏｌ／ｌ  ＥＤＴＡ・２Ｎａ溶液のファクター
【００９９】
本発明の繊維製品の洗浄方法では、洗浄液を含んだ繊維製品を手洗いすることが好ましい。
手洗いの方法としては、繊維製品を手でもみ洗いする方法、繊維製品同士を手で擦り合わせる方法、繊維製品を繊維束を植毛したブラシなどの道具を用いて擦り洗いする方法などが挙げられる。
手洗いの場合、油汚れに対する洗浄力の向上の観点から、本発明の繊維製品用洗浄剤組成物は、水１Ｌに対して、好ましくは０．５ｇ以上、より好ましくは０．７ｇ以上、更に好ましくは１ｇ以上であり、そして、好ましくは３０ｇ以下、より好ましくは２０ｇ以下、更に好ましくは１０ｇ以下、より更に好ましくは５ｇ以下の濃度で用いられる。
【０１００】
本発明の繊維製品の洗浄方法では、繊維製品を洗濯機で洗浄することもできる。洗濯機での洗浄の場合、本発明の繊維製品用洗浄剤組成物は、水１Ｌに対して、好ましくは０．３ｇ以上、より好ましくは０．５ｇ以上、更に好ましくは１ｇ以上であり、そして、好ましくは１０ｇ以下、より好ましくは７ｇ以下、更に好ましくは３ｇ以下の濃度で用いられる。
【０１０１】
本発明の繊維製品の洗浄方法では、洗浄液と繊維製品を最初に接触させてから１０分以上６０分以下経過後に、繊維製品を洗浄することが好ましい。
本発明の繊維製品の洗浄方法では、洗浄液と繊維製品を最初に接触させてから１０分以上６０分以下経過後に、繊維製品を手洗い洗浄することが好ましい。例えば、本発明の繊維製品の洗浄方法では、洗浄液に１０分以上６０分以下浸漬した後、繊維製品を手洗い洗浄することができる。
【０１０２】
本発明の洗浄方法は、洗浄後の繊維製品を水ですすぐ工程を有することができる。濯ぎに用いる水は、前記のドイツ硬度を有することが好ましい。濯ぎに用いる水は、前記のアルカリ度を有することが好ましい。濯ぎに用いる水は、前記のドイツ硬度及びアルカリ度を有することが好ましい。
【０１０３】
本発明は、以下の繊維製品用粉末洗浄剤組成物及び繊維製品の洗浄方法を開示する。以下の態様には、本発明の繊維製品用粉末洗浄剤組成物及び繊維製品の洗浄方法で述べた事項を適宜適用することができる。
＜１＞
下記（Ａ）成分を１０質量％以上４０質量％以下、下記（Ｂ）成分を０．５質量％以上５質量％以下、下記（Ｃ）成分及び下記（Ｄ）成分を含有し、
（ａ２）成分の含有量と、（ａ１）成分と（ａ２）成分の合計の含有量との質量比である（ａ２）成分／〔（ａ１）成分＋（ａ２）成分〕が０以上０．１５以下であり、
（ａ３）成分の含有量と、（ａ１）成分と（ａ３）成分の合計の含有量との質量比である（ａ３）成分／〔（ａ１）成分＋（ａ３）成分〕が０以上０．１５以下であり、
（ｂ２）成分の含有量と（ｂ１）成分の含有量との質量比である、（ｂ２）成分／（ｂ１）成分が０以上１．５以下である、
繊維製品用粉末洗浄剤組成物。
（Ａ）成分：下記（ａ１）成分、並びに任意の下記（ａ２）成分及び任意の下記（ａ３）
（ａ１）成分：スルホン酸基又はその塩を有するアニオン界面活性剤
（ａ２）成分：ポリオキシアルキレン基を有するノニオン界面活性剤
（ａ３）成分：アルキル硫酸エステル塩
（Ｂ）成分：下記（ｂ１）成分、及び任意の下記（ｂ２）成分
（ｂ１）成分：下記一般式（１）において、Ｒ１の炭素数とＲ２の炭素数の合計の数が１５以上２３以下であるカチオン界面活性剤
（ｂ２）成分：下記一般式（１）において、Ｒ１の炭素数が８以上１３以下であり、Ｒ２の炭素数が１以上３以下の炭化水素基であり、Ｒ１の炭素数とＲ２の炭素数の合計の数が９以上１４以下であるカチオン界面活性剤
【０１０４】
【化３】
2018104706.tif 000004
【０１０５】
〔式中、Ｒ１は、炭素数８以上１６以下の脂肪族炭化水素基であり、Ｒ２は、炭素数１以上１０以下の炭化水素基であり、Ｒ３及びＲ４は、それぞれ独立に、炭素数１以上３以下の炭化水素基及び炭素数１以上３以下のヒドロキシアルキル基から選ばれる基であり、Ｘ−は陰イオンである。〕
（Ｃ）成分：無機炭酸塩及び無機炭酸水素塩から選ばれる１種以上のアルカリ剤
（Ｄ）成分：カルボン酸基又はその塩を有し、重量平均分子量が３０００以上のポリマー
【０１０６】
＜２＞
（ａ１）成分が、炭素数８以上２０以下のアルキル基を有するアルキルベンゼンスルホン酸又はその塩、炭素数８以上２０以下のアルキル基を有するアルキルスルホン酸又はその塩、炭素数８以上２０以下のアルケニル基を有するアルケニルスルホン酸又はその塩、及び炭素数８以上２０以下のアルケニル基を有するアルケニルスルホ脂肪酸エステル又はその塩から選ばれる１種以上のアニオン界面活性剤である、＜１＞に記載の繊維製品用粉末洗浄剤組成物。
【０１０７】
＜３＞
（ａ１）成分が、アルキルベンゼンスルホン酸又はその塩、好ましくは炭素数８以上２０以下のアルキル基を有するアルキルベンゼンスルホン酸又はその塩を含み、（ａ１）成分中、前記アルキルベンゼンスルホン酸又はその塩の割合が、５０質量％以上１００質量％以下である、＜１＞又は＜２＞に記載の繊維製品用粉末洗浄剤組成物。
【０１０８】
＜４＞
（ａ２）成分が、下記一般式（３）で表されるノニオン界面活性剤である、＜１＞〜＜３＞の何れかに記載の繊維製品用粉末洗浄剤組成物。
Ｒ１ａ−（ＣＯ）ｘＯ−（ＡＯ）ｍ−Ｒ２ａ      （３）
〔式中、Ｒ１ａは炭素数８以上１８以下の脂肪族炭化水素基であり、ＡＯは、炭素数２のアルキレンオキシ基及び炭素数３のアルキレンオキシ基から選ばれるアルキレンオキシ基であり、ｘは０又は１の数であり、ｍは、ＡＯの平均付加モル数であり、３以上５０以下の数であり、Ｒ２ａは、水素原子又はメチル基である。〕
【０１０９】
＜５＞
一般式（３）において、ＡＯがエチレンオキシ基及びプロピレンオキシ基から選ばれる１種以上の基である、＜４＞に記載の繊維製品用粉末洗浄剤組成物。
【０１１０】
＜６＞
一般式（３）において、ＡＯがエチレンオキシ基である、＜５＞に記載の繊維製品用粉末洗浄剤組成物。
【０１１１】
＜７＞
（ａ３）成分のアルキル基の炭素数が、炭素数１０以下炭素数１６以上である、＜１＞〜＜６＞の何れかに記載の繊維製品用粉末洗浄剤組成物。
【０１１２】
＜８＞
（ａ３）成分が、炭素数１０以上１６以下の直鎖アルキル基を有するアルキル硫酸エステル塩である、＜７＞に記載の繊維製品用粉末洗浄剤組成物。
【０１１３】
＜９＞
（ａ３）成分が、全アルキル基中の炭素数１２以上１６以下の直鎖アルキル基の割合が５０質量％以上１００質量％以下であるアルキル硫酸エステル塩である、＜８＞に記載の繊維製品用粉末洗浄剤組成物。
【０１１４】
＜１０＞
（ａ３）成分が、全アルキル基中の炭素数１２の直鎖アルキル基の割合が４０質量％以上１００質量％以下であるアルキル硫酸エステル塩である、＜９＞に記載の繊維製品用粉末洗浄剤組成物。
【０１１５】
＜１１＞
（Ｅ）成分として、ゼオライト、トリポリリン酸塩及びアルカリ金属ケイ酸塩から選ばれる１種以上の金属イオン捕捉剤を５質量％以上３０質量％以下含有する、＜１＞〜＜１０＞の何れかに記載の繊維製品用粉末洗浄剤組成物。
【０１１６】
＜１２＞
（Ｅ）成分として、ゼオライト、トリポリリン酸塩及びアルカリ金属珪酸塩から選ばれる２種以上の金属イオン捕捉剤を含有する、＜１１＞に記載の繊維製品用粉末洗浄剤組成物。
【０１１７】
＜１３＞
（ａ３）成分の含有量と（Ｂ）成分の含有量との質量比である、（ａ３）成分／（Ｂ）成分が、０以上５．０以下である、＜１＞〜＜１２＞の何れかに記載の繊維製品用粉末洗浄剤組成物。
【０１１８】
＜１４＞
（ｂ１）成分が、前記一般式（１）において、Ｒ１が、炭素数１４以上１６以下の脂肪族炭化水素基であり、Ｒ２が、炭素数１以上７以下の炭化水素基である、＜１＞〜＜１３＞の何れかに記載の繊維製品用粉末洗浄剤組成物。
【０１１９】
＜１５＞
（ｂ１）成分が、前記一般式（１）において、Ｒ２が、炭素数１以上６以下のアルキル基である、＜１４＞に記載の繊維製品用粉末洗浄剤組成物。
【０１２０】
＜１６＞
（ｂ１）成分が、前記一般式（１）において、Ｒ２が、メチル基、エチル基及びプロピル基から選ばれる基である、＜１５＞に記載の繊維製品用粉末洗浄剤組成物。
【０１２１】
＜１７＞
（ｂ２）成分が、前記一般式（１）において、Ｒ１が、炭素数１０以上１３以下の脂肪族炭化水素基であり、Ｒ２が、炭素数１以上３以下のアルキル基である、＜１＞〜＜１６＞の何れかに記載の繊維製品用粉末洗浄剤組成物。
【０１２２】
＜１８＞
前記一般式（１）において、（ｂ２）成分であるＲ２が、メチル基、エチル基及びプロピル基から選ばれる基である、＜１７＞に記載の繊維製品用粉末洗浄剤組成物。
【０１２３】
＜１９＞
前記一般式（１）において、Ｒ３及びＲ４が、それぞれ独立に、炭素数１以上３以下の炭化水素基である、＜１＞〜＜１８＞のいずれかに記載の繊維製品用粉末洗浄剤組成物。
【０１２４】
＜２０＞
（Ｄ）成分が、重量平均分子量が３０００以上１０００００以下のポリアクリル酸又はその塩及び重量平均分子量が３０００以上１０００００以下のアクリル酸／マレイン酸コポリマー又はその塩から選ばれる１種以上のポリマーである、＜１＞〜＜１９＞の何れかに記載の繊維製品用粉末洗浄剤組成物。
【０１２５】
＜２１＞
組成物中の（Ｄ）成分の含有量と（Ｂ）成分の含有量の質量比である、（Ｄ）成分／（Ｂ）成分が０．５以上１０以下である、＜１＞〜＜２０＞の何れかに記載の繊維製品用粉末洗浄剤組成物。
【０１２６】
＜２２＞
（Ｃ）成分の含有量が１０質量％以上６０質量％以下である、＜１＞〜＜２１＞の何れかに記載の繊維製品用粉末洗浄剤組成物。
【０１２７】
＜２３＞
（Ｃ）成分の含有量が２５質量％以上６０質量％以下である、＜２２＞に記載の繊維製品用粉末洗浄剤組成物。
【０１２８】
＜２４＞
（Ｃ）成分が１価又は２価の金属の炭酸塩、炭酸アンモニウム塩、１価又は２価の金属の炭酸水素塩及び炭酸水素アンモニウム塩から選ばれる１種以上のアルカリ剤である、＜１＞〜＜２３＞の何れかに記載の繊維製品用粉末洗浄剤組成物。
【０１２９】
＜２５＞
前記の１価の金属の炭酸塩がアルカリ金属炭酸塩であり、１価の金属の炭酸水素塩がアルカリ金属炭酸水素塩であり、２価の金属の炭酸塩がアルカリ土類金属炭酸塩であり、２価の金属の炭酸水素塩がアルカリ金属炭酸水素塩である、＜２４＞に記載の繊維製品用粉末洗浄剤組成物。
【０１３０】
＜２６＞
手洗い洗浄用である＜１＞〜＜２５＞の何れか１項記載の繊維製品用粉末洗浄剤組成物。
【０１３１】
＜２７＞
＜１＞〜＜２６＞の何れか１項記載の繊維製品用粉末洗浄剤組成物と、ドイツ硬度が１°ｄＨ以上５０°ｄＨ以下の水とを混合した洗浄液で、繊維製品を洗浄する、繊維製品の洗浄方法。
【０１３２】
＜２８＞
前記洗浄液と繊維製品とを最初に接触させた後、１０分以上６０分以下経過後に、繊維製品を洗浄する、＜２７＞に記載の繊維製品の洗浄方法。
【実施例】
【０１３３】
＜配合成分＞
下記を用いて、表１〜４に記載の繊維製品用粉末洗浄剤組成物を調製した。
〔（Ａ）成分〕
・（ａ１）成分
（ａ１−１）：ドデシルベンゼンスルホン酸ナトリウム〔（ａ１）成分〕
・（ａ２）成分
（ａ２−１）：ポリオキシエチレン（６）ラウリルエーテル〔（  ）内の数値はオキシエチレン基の平均付加モル数〕
・（ａ３）成分
（ａ３−１）：アルキル硫酸エステルナトリウム〔（ａ３）成分、アルキル基の組成：ラウリル基／ミリスチル基／パルミチル基＝６７／２８／５（質量比）〕
【０１３４】
〔（Ｂ）成分〕
（ｂ−１）：パルミチルトリメチルアンモニウムクロリド（和光純薬工業（株）製）
（ｂ−２）：ラウリルトリメチルアンモニウムクロリド（和光純薬工業（株）製）
【０１３５】
〔（Ｃ）成分〕
（ｃ−１）：炭酸ナトリウム（和光純薬工業（株）製）
（ｃ−２）：炭酸水素ナトリウム（和光純薬工業（株）製）
【０１３６】
〔（Ｄ）成分〕
（ｄ−１）：ポリアクリル酸ナトリウム（重量平均分子量１００００）
【０１３７】
〔（Ｅ）成分〕
（ｅ−１）：シリケート（４３質量％ケイ酸ナトリウム水溶液（ＴＯＫＵＹＡＭＡ  ＳＩＡＭ  ＳＩＬＩＣＡ  ＣＯ．，ＬＴＤ製）、表中には有効分の質量％を示した。）
（ｅ−２）：ゼオライト〔４Ａ型ゼオライト、平均粒子径３μｍ（東ソー（株）製）〕
【０１３８】
硫酸ナトリウム：無水中性芒硝（四国化成工業株式会社製）
ポリエチレングリコール：シグマアルドリッチ製、Polyethylene glycol6000
カルボキシメチルセルロース：ダイセルファインケム(株)製、ＣＭＣダイセル１１５０
チノパールＣＢＳ：蛍光染料、ＢＡＳＦ社製
チノパールＤＭ：蛍光染料、ＢＡＳＦ社製
酵素：サビナーゼ１２Ｔ、ノボザイムズ社製、プロテアーゼ造粒物、造粒物１ｇ中の酵素蛋白質の割合は８０ｍｇ／ｇ。表中の数値は、酵素蛋白質の質量を示す。
香料：香料組成物｛（  ）内の数字は質量部、フェニルエチルアルコール（１０）、カンファー（２０）、シトロネラール（１０）、ｌ−メントール（２０）、アルデヒドＣ−９（１０）、ネロール（１０）、ジフェニルオキサイド（２０）〕
【０１３９】
＜性能評価＞
実施例及び比較例で得られた粉末洗浄剤組成物について、以下の評価を行った。結果を表１〜４に示す。
【０１４０】
〔洗浄液の殺菌試験方法〕
モラクセラ・オスロエンシスに対する殺菌効果を評価した。菌は、着用衣料から単離したMoraxella osloensis ４９を使用した。予めＳＣＤ−ＬＰ寒天培地（日本製薬（株）製）にて菌を前培養し、洗浄剤組成物の濃度が１ｇ／Ｌになるように洗浄剤組成物を完全に溶解させた洗浄液１０ｍｌに対し、菌液（初発菌数１．０×１０９ＣＦＵ／ｍｌ）を０．１ｍｌ植菌した。振とう培養器を用いて２５℃、１５０ｒｐｍで１５分接触させた後、植菌後の洗浄液０．５ｍｌをＬＰ希釈液（日本製薬（株）製）４．５ｍｌに滴下し、殺菌成分を不活化させた後、抽出液の段階希釈を行い、ＳＣＤ−ＬＰ寒天培地（日本製薬（株）製）にて混釈後、３７℃にて静置培養を１日行った。得られたコロニー数を計測し、滅菌イオン交換水で同様の処理をした生菌数の常用対数値から、各実施例または比較例の生菌数の常用対数値を引いたもの（対数値）を殺菌活性値とした。
この評価では、殺菌活性値が５以上を合格とし、殺菌活性値は高いほど殺菌効果が高いことを意味する。
【０１４１】
〔起泡性及びすすぎ性の評価〕
＜評価用繊維製品＞
評価用繊維製品として肌着、綿メリヤス生地又は木綿／ポリエステルブロード混紡染着布を使用した。男性用Ｌサイズの丸首肌着（グンゼ株式会社製、商品名グンゼＹＧ、綿１００％、約１００ｇ／１着）３着の夫々の胸部に、下記人工汚染布２枚と下記泥汚れ汚染布１枚を縫い付けた。更に、上記肌着の襟部に、６０℃に加熱した下記モデル皮脂汚れＡを、３着で１ｇになるように（１着当たり約０．３３ｇ）、スポイド（φ：２ｍｍ）を用いて塗布した。この３着を評価用衣料とした。
（１）人工汚染布
使用した人工汚染布は、６ｃｍ×６ｃｍの木綿／ポリエステルブロード混紡染着布（木綿／ポリエステル比＝３５／６５、谷頭商店より購入）に、下記組成から成る人工汚垢を１枚当り１００ｍｇになるようグラビア塗工したものである。
・人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。Ａ：モデル皮脂汚れ（人工汚垢中の質量％が、ラウリン酸０．４４質量％、ミリスチン酸３．１５質量％、ペンタデカン酸２．３５質量％、パルチミチン酸６．３１質量％、ヘプタデカン酸０．４４質量％、ステアリン酸１．６質量％、オレイン酸７．９１質量％、トリオレイン１３．３３質量％、パルミチン酸ｎ−ヘキサデシル２．２２質量％、スクアレン６．６６質量％となる量で用いる）
Ｂ：塩化カルシウムの２水塩１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）Ｄ：鹿沼赤土８．１１質量％
Ｅ：カーボンブラック０．０２５質量％
【０１４２】
（２）泥汚染布
使用した泥汚染布は、１０ｃｍ×１０ｃｍの綿メリヤス（綿１００％、谷頭商店より購入）を用いて、特開平１０−２０４７６９号の段落００３０〜００３８に記載の製法により調製したものである。
【０１４３】
（３）モデル皮脂汚れＡ
モデル皮脂汚れＡは、下記の組成を有していた。この組成は、前記人工汚垢におけるＡと同じ質量比である。
・モデル皮脂汚れＡの組成：
ラウリン酸０．４４質量部、ミリスチン酸３．１５質量部、ペンタデカン酸２．３５質量部、パルチミチン酸６．３１質量部、ヘプタデカン酸０．４４質量部、ステアリン酸１．６質量部、オレイン酸７．９１質量部、トリオレイン１３．３３質量部、パルミチン酸ｎ−ヘキサデシル２．２２質量部、スクアレン６．６６質量部
【０１４４】
＜洗浄剤組成物の泡立ち性評価＞
モデル円形洗面器（底面の直径（内径）２５ｃｍ、高さ１５ｃｍの円柱のアクリル製容器）に、水温３０℃の水を３Ｌ投入した。この水は、イオン交換水に、ドイツ硬度が５°ｄＨ（Ｃａ／Ｍｇ＝７／３、質量比）又は１０°ｄＨ（Ｃａ／Ｍｇ＝７／３、質量比）になるように塩化カルシウムと塩化マグネシウムを加え、更にアルカリ度が６０ｍｇ／Ｌになるよう炭酸水素ナトリウムを加え、塩酸でｐＨを７に調整した水であった。次に、水に、粉末洗浄剤組成物を１２ｇ添加し溶解させた。評価衣料３枚を洗浄液に投じ、洗浄液に完全に浸る状態で３０分間放置する。放置後、評価衣料１枚に付き人工汚染布を１５秒、泥汚染布を３０秒もみ洗い（布同士を擦り合わせながら１往復（約１秒）で１回と換算）する。その後、評価衣料を取り出し、評価衣料の含水量が評価衣料に対し１００〜１４０％程度になるように洗面器から１０ｃｍ上で絞った。その後、５分経過後に、洗面器の壁面にて、液面からの泡の高さを測定した。比較例の組成物の泡の高さを基準として、比較例よりも同等以上の泡立ちであることを合格とした。
【０１４５】
＜洗浄剤組成物のすすぎ性評価＞
モデル円形洗面器（底面の直径（内径）２５ｃｍ、高さ１５ｃｍの円柱のアクリル製容器）に、水温３０℃の水を３Ｌ投入した。この水は、イオン交換水に、ドイツ硬度が５°ｄＨ（Ｃａ／Ｍｇ＝７／３、質量比）又は１０°ｄＨ（Ｃａ／Ｍｇ＝７／３、質量比）になるように塩化カルシウムと塩化マグネシウムを加え、更にアルカリ度が６０ｍｇ／Ｌになるよう炭酸水素ナトリウムを加え、塩酸でｐＨを７に調整した水であった。
そこに前記の洗浄剤組成物の泡立ち性評価で最後に絞った評価衣料３枚を投入し、評価衣料をすすぎ水中でほぐした後、ほぐした評価衣料を１枚ずつ襟の部分を持って浴中から上に持ち上げ（浴中から洗面器上約５ｃｍの高さまで衣類全体が抜け切るまで持ち上げる）、その後再び浴中に戻す。このような上下運動によるすすぎを１枚の評価衣料につき１０回繰り返した後、評価衣料の含水量が肌着に対して１００〜１４０％程度になるように洗面器から１０ｃｍ上で絞り、３枚の肌着のすすぎ、脱水が終わった直後のすすぎ水の状態を観察し、下記の基準でポイントをつけ、すすぎ性を評価した。尚、比較例の組成物を最初に評価し、ランクを求めた。次に比較例と同じ方法で各実施例を評価した。比較例の評価ランクよりもランクが小さいことを合格とした。
【０１４６】
ランク
６：液面全体に泡立高さ１ｃｍ以上の泡が残っている。
５：液面全体に泡が残っている（１ｃｍ未満）。
４：液面の１／２程度に泡（１ｃｍ未満）が残っているか、またはすすぎ水が洗面器底面を確認できないほど濁っている。
３：液面の１／４程度に泡（１ｃｍ未満）が残っているか、またはすすぎ水が洗面器底面をようやく確認できる程度に濁っている。
２：液面に細かい泡が残っているが、すすぎ水が底面を確認できるほど透明である。
１：液面に泡が残っておらず、すすぎ水が底面を確認できるほど透明である。
【０１４７】
〔衣料に付着した皮脂汚れの洗浄力の評価〕
（１）人工汚染布
使用した人工汚染布は前記の人工汚染布を用いた。
（２）人工汚染布の洗浄
硬度が５°ｄＨ（Ｃａ／Ｍｇ＝６／４、質量比）の水１リットルに、表１〜４に記載の粉末洗浄剤組成物１ｇを入れた洗浄液（３０℃）に、前記人工汚染布を５枚入れた。ターゴトメーターで、１００回転、１０分間の条件で洗浄した。
洗浄力は、汚染前の原布、及び人工汚染布の洗浄前後の５５０ｎｍにおける反射率を測色色差計（日本電色工業株式会社製Ｚ−３００Ａ）にて測定し、次式によって洗浄率（％）を求めた。汚染布５枚についてそれぞれ測定し平均値を求めた。洗浄率は３０％以上が合格ラインであり、数値が高い方がより好ましい。
洗浄率（％）＝１００×［（洗浄後の人工汚染布の反射率−洗浄前の人工汚染布の反射率）／（原布の反射率−洗浄前の人工汚染布の反射率）］
表１〜４の実施例及び比較例に記載した繊維製品用粉末洗浄剤組成物は、いずれも合格であった。
【０１４８】
【表１】
2018104706.tif 000005
【０１４９】
【表２】
2018104706.tif 000006
【０１５０】
＊洗浄液の調製及びすすぎに用いた水の硬度（以下同様）
【０１５１】
【表３】
2018104706.tif 000007
【０１５２】
【表４】
2018104706.tif 000008